(57)【要約】【課題】髪の毛が格子の開口から抜け出しにくく、且つ、排水性、泡切れ性が損なわれずに、髪の毛をまとめやすいヘアキャッチャーを提供すること。【解決手段】周囲から排水口１０１ａに向かう水が流入する本体部１０を有するヘアキャッチャー１であって、本体部１０は、複数の開口２３を有し、本体部１０に流入した水の一部を本体部１０の外へ排水する排水部２を有し、排水部２は、互いに隣接して環状に配置された複数の横リブ２２を有し、複数の横リブ２２においては、環状の中心に近い位置に配置された横リブ２２よりも、環状の中心から離れた位置に配置された横リブ２２の方が上側に位置するように配置され、下側に位置する、隣接する横リブ２２同士の間隔ｄ１は、上側に位置する、隣接する横リブ２２同士の間隔ｄ４よりも広いヘアキャッチャー１である。【選択図】図４
2018053696.tif 000002
【特許請求の範囲】
【請求項１】
周囲から排水口に向かう水が流入する本体部を有するヘアキャッチャーであって、
前記本体部は、
複数の開口を有し、前記本体部に流入した水の一部を前記本体部の外へ排水する排水部を有し、
前記排水部は、互いに隣接して環状に配置された複数の横リブを有し、
複数の前記横リブにおいては、前記環状の中心に近い位置に配置された前記横リブよりも、前記環状の中心から離れた位置に配置された前記横リブの方が上側に位置するように配置され、
下側に位置する、隣接する前記横リブ同士の間隔は、上側に位置する、隣接する前記横リブ同士の間隔よりも広いヘアキャッチャー。
【請求項２】
隣接する前記横リブ同士の間隔は、下側へ向かって徐々に広くなる請求項１に記載のヘアキャッチャー。
【請求項３】
隣接する前記横リブ同士の間の空間は、前記開口を構成し、
各前記開口の面積は、略同一である請求項１又は請求項２に記載のヘアキャッチャー。
【請求項４】
前記本体部に流入した水の一部を貯水する貯水部が、前記排水部の下方に配置されている請求項１〜請求項３のいずれかに記載のヘアキャッチャー。
【請求項５】
前記排水部は、上下方向に延び、互いに隣接して設けられる複数の縦リブを有し、
複数の前記縦リブは、前記本体部の内面に沿う下方向に対して、一の側へ傾斜している請求項１〜請求項４のいずれかに記載のヘアキャッチャー。
【発明の詳細な説明】
【技術分野】
【０００１】
本発明は、へアキャッチャーに関する。
【背景技術】
【０００２】
従来、浴室や洗面台の排水トラップには、排水トラップから連続する排水管に髪の毛や小さなゴミ等が流れて排水管が詰まらないように、ヘアキャッチャーが配置されることが知られている。髪の毛は細く長いため、ヘアキャッチャーに絡まったり挟まったりするので、ヘアキャッチャーの清掃や髪の毛の補集に手間がかかることがある。そこで、ヘアキャッチャーに水を溜める貯水部を設け、また、貯水部への余剰排水をオーバーフローさせる排水部を設けて、髪の毛を浮上させて纏める技術が提案されている（特許文献１参照）。
【先行技術文献】
【特許文献】
【０００３】
【特許文献１】特許第５９２８９８４号公報
【発明の概要】
【発明が解決しようとする課題】
【０００４】
しかし、上記公報記載のヘアキャッチャーでは、排水部は、複数の縦リブ及び横リブにより構成され横リブの間隔が均一な格子形状を有しており、髪の毛が格子の開口から抜け出しやすい。即ち、開口の間隔を広げすぎると、髪の毛が格子の開口から抜け出しやすくなる。逆に、開口の間隔を狭くしすぎると、排水性、泡切れ性が悪くなる。
【０００５】
本発明は、髪の毛が格子の開口から抜け出しにくく、且つ、排水性、泡切れ性が損なわれずに、髪の毛をまとめやすいヘアキャッチャーを提供することを目的とする。
【課題を解決するための手段】
【０００６】
上記目的を達成するため本発明は、周囲から前記排水口（例えば、後述の洗い場排水口１０１ａ）に向かう水が流入する本体部（例えば、後述の本体部１０）を有するヘアキャッチャーであって、前記本体部は、複数の開口（例えば、後述の排水開口２３）を有し、前記本体部に流入した水の一部を前記本体部の外へ排水する排水部（例えば、後述の排水部２）を有し、前記排水部は、互いに隣接して環状に配置された複数の横リブ（例えば、後述の横リブ２２）を有し、複数の前記横リブにおいては、前記環状の中心に近い位置に配置された前記横リブよりも、前記環状の中心から離れた位置に配置された前記横リブの方が上側に位置するように配置され、下側に位置する、隣接する前記横リブ同士の間隔（例えば、後述の間隔ｄ１）は、上側に位置する、隣接する前記横リブ同士の間隔（例えば、後述の間隔ｄ４）よりも広いヘアキャッチャーを提供する。
【０００７】
また、隣接する前記横リブ同士の間隔は、下側へ向かって徐々に広くなることが好ましい。また、隣接する前記横リブ同士の間の空間は、前記開口を構成し、各前記開口の面積は、略同一であることが好ましい。
【０００８】
また、前記本体部に流入した水の一部を貯水する貯水部（例えば、後述の貯水部３）が、前記排水部の下方に配置されていることが好ましい。前記排水部は、上下方向に延び、互いに隣接して設けられる複数の縦リブ（例えば、後述の縦リブ２１）を有し、複数の前記縦リブは、前記本体部の内面に沿う下方向に対して、一の側へ傾斜していることが好ましい。
【発明の効果】
【０００９】
本発明によれば、髪の毛が格子の開口から抜け出しにくく、且つ、排水性、泡切れ性が損なわれずに、髪の毛をまとめやすいヘアキャッチャーを提供することができる。
【図面の簡単な説明】
【００１０】
【図１】本実施形態のヘアキャッチャーが設けられる浴室を示す平面図である。
【図２】本実施形態の排水トラップを示す斜視図である。
【図３】本実施形態のヘアキャッチャーを示す斜視図である。
【図４】本実施形態のヘアキャッチャーを示す平面図である。
【図５】本実施形態のヘアキャッチャーを示す側面図である。
【図６】本実施形態のヘアキャッチャーの縦リブを示す断面図であり、（ａ）図は図５のＡ−Ａ線、（ｂ）図は図５のＢ−Ｂ線に沿って切断した断面図である。
【図７】他の実施形態に係るヘアキャッチャーの斜視図である。
【図８】さらに他の実施形態に係るヘアキャッチャーの正面図である。
【発明を実施するための形態】
【００１１】
以下、本発明の一実施形態について、図面を参照しながら詳細に説明する。
図１は、本実施形態のヘアキャッチャー１が設けられる浴室１００を示す平面図である。浴室１００は、洗い場１０１及び浴槽１０２を有し、それぞれに排水口としての洗い場排水口１０１ａ、浴槽排水口１０２ａが設けられている。
浴槽１０２は、浴室の一方に配置される湯水を貯留可能な容器である。
浴槽排水口１０２ａは、浴槽１０２の底面の最も低い位置に設けられる排水孔であり、浴槽１０２の下部に配置される排水管１０２ｂ（図２参照）に連続している。
【００１２】
図２は、ヘアキャッチャー１が配置される洗い場排水口１０１ａの斜視図である。洗い場排水口１０１ａは、洗い場１０１の浴槽１０２に隣接する側で最も低い位置に設けられ、排水管１０１ｂに連続している。洗い場排水口１０１ａは、排水枡１２０と、排水トラップ１３０とにより構成される。
排水枡１２０は、洗い場１０１の床材が下方に窪んで形成される凹部である。排水枡１２０は、排水管１０１ｂに繋がる底部開口１２１及び、底部開口１２１の周囲に配置されるフランジ部１２２を有する。なお、図示を省略しているが、排水枡１２０は、通常着脱可能な蓋により覆われている。
排水トラップ１３０は、排水枡１２０の下方に連結され、一方が浴槽１０２から延びる排水管１０２ｂに、他方が洗い場排水口１０１ａから延びる排水管１０１ｂに連結される。排水トラップ１３０は、浴槽１０２及び洗い場１０１から排水される水を補集して、洗い場１０１から延びる排水管１０１ｂを通して排水するように構成される。
【００１３】
図３は、ヘアキャッチャー１を示す斜視図であり、図４は、平面図である。へアキャッチャーは、排水枡１２０に設けられる本体部１０と、把手１１と、を有する。
本体部１０は、下方に向けて徐々に縮径し、内側面が段差なく傾斜する略円錐形状で、頂部が平坦なすり鉢状の形状をしている。本体部１０は、上部に形成される略円形の開口部１０ａ及び開口部１０ａの周縁から下方に延びる係止部１３を有し、排水枡１２０のフランジ部１２２に係止される。本体部１０には、洗い場１０１の周囲から洗い場排水口１０１ａに向かう水が流入する。
把手１１は、本体部１０の上端から上方に延び、外周方向に屈曲する。
【００１４】
図３及び４に示すように、本体部１０は、貯水部３と、排水部２と、導水部４と、を有する。
貯水部３は、本体部１０の下方に配置され、本体部１０に流入した水の一部を一時的に貯水する部分である。貯水部３は、底面部３１と、側面部３２と、水抜き孔３３と、を有する。
底面部３１は、本体部１０の開口部１０ａに対向する平坦な面であり、上方に配置される開口部１０ａの面積よりも面積が小さい。また、貯水部３において最も面積が小さい。
側面部３２は、底面部３１の周囲と貯水部３の上端とを結ぶ傾斜する面である。
水抜き孔３３は、側面部３２の下端部に互いに対向して２つ設けられる貫通孔である。
【００１５】
排水部２は、本体部１０の上部、すなわち貯水部３の上端と本体部１０の上端との間に配置される。排水部２は、本体部１０上部の側面に沿って形成され、リブ部２０と、複数の開口としての排水開口２３と、を有する。
【００１６】
リブ部２０は、格子状に配置される細枠で形成され、縦リブ２１及び横リブ２２を有する。
【００１７】
横リブ２２は、排水部２の上下方向に間隔を空けて配置される複数のリング状の骨組み部分である。横リブ２２は、平坦な面を有し、この平坦な面が本体部１０の内周面に沿うように配置されている。なお、貯水部３の上端の部分であって、最も下側に位置する排水開口２３を形成している部分も、横リブ２２を構成する。
【００１８】
具体的には、横リブ２２は、図４に示すように、異なる半径のものが複数設けられており、本体部１０の半径方向において互いに隣接して、本体部１０に同軸的に環状に配置されている。複数の横リブ２２においては、環状の中心に近い位置、即ち、図４に示すような円形状の本体部１０の半径方向内側に配置された横リブ２２よりも、環状の中心から離れた位置、即ち、図４に示すような円形状の本体部１０の半径方向外側に配置された横リブ２２の方が、図５に示すように、上側に位置するように配置されている。なお、図５においては、説明の便宜上、ヘアキャッチャー１を拡大して図示している。
【００１９】
複数の横リブ２２においては、下側に位置する、隣接する横リブ２２同士の間隔は、上側に位置する、隣接する横リブ２２同士の間隔よりも広く構成されている。そして、隣接する横リブ２２同士の間隔は、下へゆくにつれて徐々に広くなるように構成されている。
【００２０】
具体的には、図４に示すように、１番下に位置している横リブ２２同士の間隔ｄ１は、下から２番目に位置している横リブ２２同士の間隔ｄ２よりも広く構成されている。また、下から２番目に位置している横リブ２２同士の間隔ｄ２は、下から３番目に位置している横リブ２２同士の間隔ｄ３よりも広く構成されている。また、下から３番目に位置している横リブ２２同士の間隔ｄ３は、下から４番目に位置している横リブ２２同士の間隔ｄ４よりも広く構成されている。このように、上下方向において隣接する横リブ２２同士の間隔は、下にゆくほど広く構成されている。これに対して、横リブ２２の周方向における、隣接する後述の縦リブ２１間の間隔は、下へゆくほど小さくなる。これにより、隣接する横リブ２２同士及び隣接する縦リブ２１同士により囲まれる空間である開口（排水開口２３）の面積Ｓ１〜Ｓ４（図５参照）は、上下の位置関係に関係なく、略同一となるように構成されている。ここで、「略同一」とは完全に同一である場合のみならず、製造誤差等により僅かに異なる場合等も含み、面積の違いは、±２０％以内であることが好ましく、±１０％以内であることがより好ましい。
むことを意味する。
【００２１】
縦リブ２１は、縦長の板状の部材であり、所定幅の薄い平面部２１１と、以下に説明する突出部２４とを有する。
縦リブ２１は、排水部２の上方から下方へ延び、互いに隣接して設けられる複数の骨組み部分である。縦リブ２１は、図４に示すように、本体部１０の円周に沿った周方向の一方側に傾斜している。縦リブ２１は、本体部１０の内面を図４の時計回り方向に並んで配置され、水流を旋回する方向Ｓに導いている。また、同時に、縦リブ２１は、本体部１０の中心から延びる径方向の仮想線（図４の仮想線Ｉ１参照）に対して一の側に傾斜している。具体的には、本体部１０の上端（排水部２の上端）と貯水部３の上部とを結ぶように直線状に延び、径方向に対して斜めに傾斜するように配置される。
【００２２】
縦リブ２１は、貯水部３の内面と縦リブ２１の内面とが滑らかに段差なく連続するように配置されている。また、これら複数の縦リブ２１は、本体部１０の内側面全体に形成され、互いに等間隔に配置されている。すなわち、本体部１０が下方に向かって徐々に縮径しているため、縦リブ２１は、本体部１０（排水部２）の上端側では、互いに隣接する縦リブ２１同士の間隔が広くなり、貯水部３の上端側では、互いに隣接する縦リブ２１同士の間隔が狭くなると同時に、隣接する縦リブ２１同士の間隔は、周方向に沿って均等になるように配置されている。
【００２３】
縦リブ２１は、貯水部３に連結される部分においては、縦リブ２１が延びる方向に沿って貯水部３と段差がないように形成されている。
【００２４】
図５はヘアキャッチャー１を示す側面図である。図６（ａ）は図５のＡ−Ａ線断面図であり、横リブ２２がある位置で切断した断面である。図６（ｂ）は図５のＢ−Ｂ線断面図であり、横リブ２２のない位置で切断した断面である。
【００２５】
図３、４及び図６（ａ）、図６（ｂ）に示すように、突出部２４は、縦リブ２１の長手方向に沿って本体部１０の内面側に突出する突部である。突出部２４は、縦リブ２１の幅方向の長さよりも短い長さで内面側へ突出する。突出部２４は、縦リブ２１の平面部２１１から本体部１０の内面側に向かって湾曲しながら突出する。
突出部２４は、縦リブ２１の幅方向の一方の端部に配置され、水流の旋回する方向Ｓにおける遠心方向外側（旋回する方向Ｓの下流側）の縁部に沿って配置される。
突出部２４は、排水部２の上端から貯水部３の上部まで連続して延びる。より詳細には、図３に示すように、突出部２４は、排水部２の最も貯水部３側の排水開口２３の下端部よりもわずかに下方に延出するように形成されている。また、突出部２４は、本体部１０の上端（排水部２の上端）にある横リブ２２まで延出しており、本体部１０の上端を超えない位置に形成される。
【００２６】
排水開口２３は、リブ部２０の間に形成される複数の開口である。排水開口２３を通じて、洗い場１０１に排水された水が本体部１０の内側に流入するとともに、本体部１０側から外側へ流出する。
【００２７】
導水部４は、図３及び図５に示すように、本体部１０の外面側で、排水部２と貯水部３の間の境界近傍に設けられる。詳細には、導水部４は、本体部１０の外面における貯水部３の上端に対応する位置に設けられる。導水部４が設けられる部分に対応する本体部１０の内面は、滑らかに段差なく形成されている。導水部４は、受け面４１と、連結部４２と、導水開口４３と、を有する。
【００２８】
受け面４１は、本体部１０の外面で貯水部３の上端に対応する位置から外側に突出する凸部であり、貯水部３の外側に本体部１０の外周方向に沿って設けられる。受け面４１は、略水平方向に突出する。
【００２９】
連結部４２は、図５に示すように、受け面４１と本体部１０の外面とを繋ぐ略三角形の部分である。連結部４２は、三角形の傾斜する一方の辺が本体部１０の外面、すなわち縦リブ２１の外面側に連続し、他方の辺が受け面４１に連続し、受け面４１側の辺の遠位端部と縦リブ側の辺の遠位端部とを結ぶ辺が三角形の底辺となっている。この底辺（受け面４１の遠位端部から縦リブ２１の外面へ延びる辺）と、縦リブ２１の外面とがなす角度は、鈍角θである。
【００３０】
導水開口４３は、受け面４１上で隣り合う縦リブ２１と縦リブ２１との間に形成される空間であり、排水開口２３に連続している。
【００３１】
次に、以上のヘアキャッチャー１の使用の状態について説明する。
浴室１００の洗い場１０１で湯水を使い、例えば洗髪をすると、抜けた髪の毛が水流とともに洗い場排水口１０１ａに向けて流れてくる。水は、洗い場の最も低い位置に配置される排水枡１２０へ集まり、排水枡１２０の底部開口１２１へと落ちていく。排水枡１２０の底部開口１２１には、その周囲のフランジ部１２２に係止されてヘアキャッチャー１が、配置されている。流れ落ちた水の一部は、排水部２の排水開口２３を通ってさらに下方の排水トラップ１３０へ落ち、排水管１０１ｂを通じて排水される。
【００３２】
洗い場１０１で洗い場排水口１０１ａに向かう水の一部は、ヘアキャッチャー１の本体部１０に流入する。この時、排水枡１２０に流入する水が所定量であれば、縦リブ２１が本体部１０の内面を下方向に対して片方に傾斜しているので、本体部１０に流入した水の一部は、縦リブ２１に誘導されてヘアキャッチャー１内を旋回する方向Ｓに流れる。
【００３３】
縦リブ２１には本体部１０の内面側に向かって突出する突出部２４が設けられている。このため、髪の毛が、複数形成され互いに隣接する縦リブ２１の突出部２４の上にそれぞれ載ることで、髪の毛と縦リブ２１の平面部２１１との間に隙間が形成される。この隙間に水流が流れ込み、髪の毛を本体部１０の内面から浮かせる。縦リブ２１は、互いに等間隔に配置されているので、髪の毛がどの排水開口２３から流入しても、本体部１０の開口部１０ａのどの位置から流入しても、本体部１０の内面に貼りつきにくく、同じように旋回する。
【００３４】
突出部２４が本体部１０の内面側に向かって突出し、かつ貯水部３の上部へ連続しているため、水は縦リブ２１を乗り越えずに、縦リブ２１に沿って流れる。縦リブ２１に沿って流れる水は、排水部２の外へ流れにくく、本体部１０の内側、すなわち下方の貯水部３へ流れやすい。上述の通り、縦リブ２１は周方向の一方側に傾斜しているので、縦リブ２１に沿って水は旋回する方向Ｓへ流れる。なお、突出部２４は、平面部２１１から本体部１０の内側に向かって緩く湾曲しているので、汚れを落としやすい。
【００３５】
排水部２と貯水部３の間で導水部４が設けられる部分に対応する本体部１０の内面には、段差がないので、髪の毛が水流に乗って旋回しながら流れる。
【００３６】
一方、排水部２には排水開口２３が設けられているので、本体部１０に流入した水の多くは、排水開口２３から本体部１０の外側へ排水される。そして、水は本体部１０の外面に沿って下方へ流れ落ちる。この際、開口（排水開口２３）の面積Ｓ１〜Ｓ４（図５参照）は、上下の位置関係に関係なく、同一となるように構成されているため、排水部２の下部における排水開口２３において排水性が損なわれずに排水がなされ、その一方で、排水部２の上部における排水開口２３においては、横リブ２２同士の間隔が狭いため、髪の毛が通り抜けることが抑えられる。
【００３７】
そして、本体部１０の外面における排水部２と貯水部３との間には、外面から突出する導水部４の受け面４１が設けられている。本体部１０の外面を伝う水の一部は、受け面４１に受け止められて導水開口４３へ誘導され、本体部１０の内側へ導水される。導水開口４３は排水開口２３と連続しているので、水は排水部２の下方にある貯水部３に流入する。貯水部３に流入する水量は、導水部４を設けない場合と比べて増加する。
【００３８】
導水部４から貯水部３へと水が流入する際、導水開口４３から排水開口２３を通じて外側から内側へ水が流入する。排水開口２３は隣接する縦リブ２１と縦リブ２１との間にあり、水は一方向に傾斜している縦リブ２１同士の間の排水開口２３を通るうちに、旋回流になって貯水部３に流れ込む。導水部４から導水された水が旋回する方向Ｓと、排水部２の内面に形成されている縦リブ２１の傾斜によって生じる水の旋回する方向Ｓは同じであるので、導水部４から流れ込む水が、縦リブ２１を伝って貯水部へ流れる旋回流に合流して、旋回流の流れがより強い渦になる。
【００３９】
受け面４１と、縦リブ２１の外側との間には連結部４２が形成され、縦リブ２１の外面と受け面４１の間を連結部４２が埋めており、無用な隙間が形成されていない。連結部４２における受け面４１の遠位端部から縦リブ２１の外面へ延びる辺と、縦リブ２１の外面とがなす角度は、鈍角θで、外側から拭きやすくなっている。
【００４０】
なお、貯水部３には、水抜き孔３３が設けられているので、浴室１００を使用していない間は、貯水部３の水も排水される。
【００４１】
本実施形態によれば、以下の効果が奏される。
本実施形態では、ヘアキャッチャー１を、周囲から洗い場排水口１０１ａに向かう水が流入する本体部１０を含んで構成し、本体部１０を、複数の排水開口２３を有し、本体部１０に流入した水の一部を本体部１０の外へ排水する排水部２を含んで構成し、排水部２を、互いに隣接して環状に配置された複数の横リブ２２を有する構成とし、複数の横リブ２２においては、環状の中心に近い位置に配置された横リブ２２よりも、環状の中心から離れた位置に配置された横リブ２２の方が上側に位置するように配置され、下側に位置する、隣接する横リブ２２同士の間隔は、上側に位置する、隣接する横リブ２２同士の間隔よりも広い構成とした。
【００４２】
これにより、ヘアキャッチャー１の上部における横リブ同士の間隔が、ヘアキャッチャー１の下部における横リブ同士の間隔よりも相対的に狭く構成されているため、ヘアキャッチャー１の上部においては、髪の毛が通り抜けることを抑制できる。また、ヘアキャッチャー１の下部における横リブ同士の間隔が、ヘアキャッチャー１の上部における横リブ同士の間隔よりも相対的に広く狭く構成されているため、ヘアキャッチャー１の下部においては、排水性や泡切れ性を確保することができる。
【００４３】
また、本実施形態では、隣接する横リブ２２同士の間隔は、下側へ向かって徐々に広くなる構成とした。これにより、排水部２の上部において、髪の毛の通り抜けを抑制し、排水部２の下部において、排水性及び泡切れ性を確保することが可能となる。即ち、排水部２の上部から下部までの全体で、髪の毛の通り抜けの抑制と、排水性及び泡切れ性とを両立させることが可能となる。
【００４４】
また、本実施形態では、隣接する横リブ２２同士の間の空間は、開口（排水開口２３）を構成し、各開口の面積は、略同一である構成とした。これにより、ヘアキャッチャー１の上部と下部とで、バランスよく排水性を確保することが可能となる。
【００４５】
また、本実施形態では、本体部１０に流入した水の一部を貯水する貯水部３が、排水部２の下方に配置されている構成とした。これにより、導水部４から流入した水を効率的に貯水することができる。
【００４６】
また、本実施形態では、排水部２を、上下方向互いに隣接して設けられる複数の縦リブ２１を含んで構成し、縦リブ２１を、本体部１０の内面に沿う下方向に対して一の側へ傾斜させた。これにより、縦リブ２１によって水流に旋回流が生じるので、髪の毛が旋回流に乗って旋回し、まとめやすくなる。
【００４７】
なお、本発明は上記実施形態に限定されるものではなく、本発明の目的を達成できる範囲での変形、改良等は本発明に含まれる。
図７は、他の実施形態におけるヘアキャッチャー１Ａの斜視図を示す。図７に示すように、他の実施形態では突出部２４は必ずしも設けなくてもよい。突出部を設けないことで、本体部の外側から内側へ水を流入させることを可能にしつつ、製造工程をより簡易にすることができる。
【００４８】
図８は、さらに他の実施形態におけるヘアキャッチャー１Ｂの平面図を示す。さらに他の実施形態では、縦リブ２１を、下方の端部と上方の端部の位置が、本体部１０の平面視における中心から外縁まで延長させた直線上の仮想線Ｉ２に沿うように設けた。図８の実施形態によっても、本体部の外側から内側へ水を流入させて、貯水部３に水を溜めやすくすることができる。
【００４９】
また、上記実施形態では、縦リブ２１は直線状に延びているが、これに限られない。縦リブは、本体部１０の周方向に沿って曲線状に並んでいてもよい。
また、上記実施形態では、本体部１０は、略円形状の開口部１０ａを有する略円錐状に形成されているが、これに限られない。水を流入可能に構成され、排水部及び貯水部を有するものであれば、開口部や全体の形状は適宜変更され得る。
また、隣接する横リブ同士の間隔は、本実施形態における隣接する横リブ２２同士の間隔に限定されない。下へ向って３段階、４段階、５段階と、段階的に間隔が変化してもよい。また、本体部の構成は、本実施形態における本体部１０の構成に限定されない。
【００５０】
また、上記実施形態では、導水部４を本体部１０の外面にそって全周に突出するように設けたが、これに限られない。導水部は、水を本体部１０の外側から内側へ導入できればよく、例えば、周方向に沿って断続的に設けてもよい。また、本体部１０の上下方向に離間している横リブ２２のそれぞれに連続するように上下に複数設けてもよい。
【００５１】
また、上記実施形態では、受け面４１は、本体部１０の外面から略水平方向外側へ突出しているが、これに限られない。受け面４１は、本体部１０の外側上方から内側下方へ向かって下り傾斜するように配置してもよい。
【００５２】
また、上記実施形態では、突出部２４は、縦リブ２１の幅方向の一方の端部に形成したが、これに限られない。突出部２４は、縦リブ２１の幅方向の中央部に形成してもよく、両端部に形成してもよい。両端部に形成した場合には、縦リブ２１に沿って貯水部３へ流れる水量を増やすことができる。
【符号の説明】
【００５３】
１      ヘアキャッチャー
２      排水部
３      貯水部
４      導水部
１０    本体部
２１    縦リブ
２３    排水開口（開口）
４１    受け面
４２    連結部
１０１ａ    洗い場排水口
１２０    排水枡
ｄ１、ｄ２    間隔
【図１】
2018053696.tif 000003
【図２】
2018053696.tif 000004
【図３】
2018053696.tif 000005
【図４】
2018053696.tif 000006
【図５】
2018053696.tif 000007
【図６】
2018053696.tif 000008
【図７】
2018053696.tif 000009
【図８】
2018053696.tif 000010